【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
第１のＵＥにおいてワイヤレス通信ネットワークにおけるリレーデバイスを通したリレー接続を管理する方法であって、
リレーＵＥに、前記リレーＵＥを通じて前記ワイヤレス通信ネットワークへの接続を確立するよう要求するリレー検索メッセージを第２のＵＥから受信することと、
基地局に、前記第２のＵＥからの前記リレー検索メッセージを前記基地局に通知するメッセージを送信することと、
リレー関連付けプロシージャ開始メッセージを前記基地局から受信することと、前記リレー関連付けプロシージャ開始メッセージは、前記第２のＵＥとリレー関連付けプロシージャを開始するために前記基地局によって前記第１のＵＥが選択されたことを前記第１のＵＥに通知する、
を備え、
第２のＵＥ−リレー間のリンク品質の定期報告を要求するメッセージを前記基地局から受信することと、第２のＵＥ−リレー間のリンク品質の定期報告を要求する前記基地局からの前記メッセージに基づいて、第２のＵＥ−リレー間のリンク品質の定期報告を要求するメッセージを前記第２のＵＥに送信することと、
第２のＵＥ−リレー間のリンク品質の定期報告を要求する前記第２のＵＥへの前記メッセージに応答して、前記第２のＵＥから第２のＵＥ−リレー間のリンク品質に関する情報を含むメッセージを受信することと、前記第２のＵＥから受信された第２のＵＥ−リレー間のリンク品質に関する情報を含む前記メッセージに基づいて、第２のＵＥ−リレー間のリンク品質に関する情報を含むメッセージを前記基地局に送信することと、
別のリレー検索メッセージを送信することを含む、リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
を備えることを特徴とする、方法。
【請求項２】
前記第２のＵＥのための前記リレーＵＥとなるよう求める要求を含むリレー関連付けメッセージを前記第２のＵＥに送信することをさらに備える、請求項１に記載の方法。
【請求項３】
前記第１のＵＥでサポートされるリレー容量または前記第１のＵＥにおけるＵＥリレー能力のうちの少なくとも１つを示すＵＥ能力情報メッセージを前記基地局に送ることをさらに備え、前記リレー容量は、同時にサポートされることができるいくつかのＵＥのうちの少なくとも１つまたはＭＢＭＳトラフィックリレーをサポートする能力を含む、請求項１に記載の方法。
【請求項４】
前記第２のＵＥが前記第１のＵＥを前記リレーデバイスとして選択したことを示す確認応答を前記第２のＵＥから受信することをさらに備える、または前記第２のＵＥのための前記リレーとなるよう求める、前記第１のＵＥからの前記要求を拒否するメッセージを前記第２のＵＥから受信することをさらに備える、請求項１に記載の方法。
【請求項５】
前記第２のＵＥからの前記リレー検索メッセージは、ＰｒｏＳｅダイレクトディスカバリメッセージであり、少なくとも第２のＵＥの識別情報（ＩＤ）を含み、前記基地局への前記メッセージは、前記第２のＵＥ ＩＤを備える、請求項１に記載の方法。
【請求項６】
前記ディスカバリメッセージと同時に基準信号を受信することと、
前記受信された基準信号に基づいて、基準信号受信電力（ＲＳＲＰ）または基準信号受信品質（ＲＳＲＱ）のうちの少なくとも１つを決定することと、
をさらに備え、前記基地局への前記メッセージは、前記決定されたＲＳＲＰまたはＲＳＲＱのうちの少なくとも１つを備える、請求項５に記載の方法。
【請求項７】
前記基地局への前記メッセージは、前記第１のＵＥと前記基地局との間のアクセスリンクに関連付けられたリンク品質のインジケーションをさらに含む、請求項６に記載の方法。
【請求項８】
前記リレー関連付けプロシージャメッセージは、無線リソース制御（ＲＲＣ）メッセージを備え、前記ＲＲＣメッセージは、ＰｒｏＳｅチャネル上で前記リレー関連付けプロシージャを開始するよう前記第１のＵＥに指示し、前記ＲＲＣメッセージは、固有のリレーＩＤまたは定期報告情報のうちの少なくとも１つを含む、請求項１に記載の方法。
【請求項９】
ＰｒｏＳｅ測定チャネルと同時に基準信号を受信することと、
前記受信された基準信号に基づいてＲＳＲＰまたはＲＳＲＱのうちの少なくとも１つを決定することと、
前記決定されたＲＳＲＰまたはＲＳＲＱのうちの少なくとも１つを含む第２のＵＥ−リレー間のリンク品質に関する情報を含むメッセージを前記基地局に送信することと、
をさらに備える、請求項１に記載の方法。
【請求項１０】
前記リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
をさらに備える、請求項９に記載の方法。
【請求項１１】
前記メッセージは、アクセスリンク（Ｕｕ）上で送信され、または
第２のＵＥ−リレー間のリンク品質の定期報告を要求するメッセージを前記基地局から受信することと、前記ＵＥ−リレー間のリンク品質の測定のためにＰｒｏＳｅチャネルの定期送信を要求するメッセージを前記第２のＵＥに送信することと、をさらに備える、請求項１に記載の方法。
【請求項１２】
基地局においてワイヤレス通信ネットワークにおけるリレー接続を管理する方法であって、
前記基地局に第１のＵＥからのリレー検索メッセージを通知するメッセージを少なくとも１つのリレーＵＥから受信することと、
リレー関連付けプロシージャを開始するために前記少なくとも１つのリレーＵＥのうちの１つのリレーＵＥを選択することと、
を備え、
第２のＵＥ−リレー間のリンク品質の定期報告を要求するメッセージを前記選択されたリレーＵＥに送信することと、
第２のＵＥ−リレー間のリンク品質の前記要求された定期報告を受信することと、
前記第２のＵＥ−リレー間のリンク品質の前記要求された定期報告に基づいて、前記第２のＵＥのためのリレーが別のリレーＵＥに移動されるべきかどうかを決定することと、
別のリレー検索メッセージを送信することを含む、リレー検索プロシージャを再開始するよう前記第２のＵＥに指示するメッセージを前記第２のＵＥ−リレー間のリンク品質に応答して送信することと、
を備えることを特徴とする、方法。
【請求項１３】
リレー関連付けプロシージャ開始メッセージを前記１つのリレーＵＥに送信することをさらに備え、前記リレー関連付けプロシージャ開始メッセージは、リレー関連付けプロシージャを開始するために前記基地局によって前記１つのリレーＵＥが選択されたことを前記１つのリレーＵＥに通知する、請求項１２に記載の方法。
【請求項１４】
前記選択は、前記リレーＵＥと前記基地局との間のアクセスリンク品質または前記リレーＵＥと第１のＵＥとの間のダイレクトリンク品質のうちの少なくとも１つに基づく、請求項１２に記載の方法。
【請求項１５】
第１のＵＥにおいてワイヤレス通信ネットワークにおけるリレーデバイスを通したリレー接続を管理するための装置であって、請求項１乃至１４のいずれか１項の前記ステップを実行するように配置される手段を備える、装置。
【手続補正２】
【補正対象書類名】明細書
【補正対象項目名】０１０８
【補正方法】変更
【補正の内容】
【０１０８】
[00116]  先の説明は、いかなる当業者であっても、本明細書で説明された様々な態様を実施することを可能にするように提供される。これらの態様への様々な修正は、当業者にとって容易に明らかとなり、本明細書で定義された一般的な原理は、他の態様に適用され得る。したがって、特許請求の範囲は、本明細書に示された態様に限定されることを意図するものではなく、特許請求の範囲における文言と一致する全範囲を付与されるべきものであり、単数形での要素への言及は、そうであるとの明確な記載がない限り、「１つ、および１つのみ」を意味することは意図せず、「１つ以上」を意味するものとする。「例示的」という用語は、本明細書では、「例、実例、または例示としての役割を果たす」という意味で使用され得る。「例示的な」ものとして、本明細書に説明された任意の態様は、他の態様に対して好ましいまたは有利なものとして必ずしも解釈されるべきではない。そうではないと明確に記載されていない限り、用語「いくつかの」は、１つ以上を意味する。「Ａ、Ｂ、またはＣのうちの少なくとも１つ」、「Ａ、Ｂ、またはＣの１つ以上」、「Ａ、Ｂ、およびＣのうちの少なくとも１つ」、「Ａ、Ｂ、およびＣの１つ以上」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含み得る。特に、「Ａ、Ｂ、またはＣのうちの少なくとも１つ」、「Ａ、Ｂ、またはＣの１つ以上」、「Ａ、Ｂ、およびＣのうちの少なくとも１つ」、「Ａ、Ｂ、およびＣの１つ以上」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであり、ここで、このような任意の組み合わせが、Ａ、Ｂ、またはＣのメンバーあるいは１つ以上のメンバーを含み得る。当業者には既知の、または後に既知となる本開示の全体にわたって説明された様々な態様の要素に対する全ての構造的および機能的な均等物は、参照により本明細書に明確に組み込まれ、特許請求の範囲により包含されるように意図されている。さらに、本明細書で開示されたものはいずれも、そのような開示が特許請求の範囲において明示的に記載されているかどうかにかかわらず、公共に捧げられるように意図されていない。「モジュール」、「機構」、「要素」、「デバイス」等の用語は、「手段」という用語の代わりとなるものではない。よって、要素が「〜のための手段」という表現を使用して明記されていない限り、どの請求項の要素もミーンズプラスファンクションとして解釈されるべきではない。
以下に本願の出願当初の特許請求の範囲に記載された発明を付記する。
［Ｃ１］
第１の（ＵＥ）においてワイヤレス通信ネットワークにおけるリレーデバイスを通したリレー接続を管理する方法であって、
リレーＵＥに、前記リレーＵＥを通じて前記ワイヤレス通信ネットワークへの接続を確立するよう要求するリレー検索メッセージを第２のＵＥから受信することと、
基地局に、前記第２のＵＥからの前記リレー検索メッセージを前記基地局に通知するメッセージを送信することと、
リレー関連付けプロシージャ開始メッセージを前記基地局から受信することと、前記リレー関連付けプロシージャ開始メッセージは、前記第２のＵＥとリレー関連付けプロシージャを開始するために前記基地局によって前記第１のＵＥが選択されたことを前記第１のＵＥに通知する、
を備える、方法。
［Ｃ２］
前記第２のＵＥのための前記リレーＵＥとなるよう求める要求を含むリレー関連付けメッセージを前記第２のＵＥに送信することをさらに備える、Ｃ１に記載の方法。
［Ｃ３］
前記第１のＵＥでサポートされるリレー容量または前記第１のＵＥにおけるＵＥリレー能力のうちの少なくとも１つを示すＵＥ能力情報メッセージを前記基地局に送ることをさらに備え、前記リレー容量は、同時にサポートされることができるいくつかのＵＥのうちの少なくとも１つまたはＭＢＭＳトラフィックリレーをサポートする能力を含む、Ｃ１に記載の方法。
［Ｃ４］
前記第２のＵＥが前記第１のＵＥを前記リレーデバイスとして選択したことを示す確認応答を前記第２のＵＥから受信することをさらに備える、Ｃ１に記載の方法。
［Ｃ５］
前記第２のＵＥのための前記リレーとなるよう求める、前記第１のＵＥからの前記要求を拒否するメッセージを前記第２のＵＥから受信することをさらに備える、Ｃ１に記載の方法。
［Ｃ６］
前記第２のＵＥからの前記リレー検索メッセージは、ＰｒｏＳｅダイレクトディスカバリメッセージであり、少なくとも第２のＵＥの識別情報（ＩＤ）を含み、前記基地局への前記メッセージは、前記第２のＵＥ ＩＤを備える、Ｃ１に記載の方法。
［Ｃ７］
前記ディスカバリメッセージと同時に基準信号を受信することと、
前記受信された基準信号に基づいて、基準信号受信電力（ＲＳＲＰ）または基準信号受信品質（ＲＳＲＱ）のうちの少なくとも１つを決定することと、
をさらに備え、前記基地局への前記メッセージは、前記決定されたＲＳＲＰまたはＲＳＲＱのうちの少なくとも１つを備える、Ｃ６に記載の方法。
［Ｃ８］
前記基地局への前記メッセージは、前記第１のＵＥと前記基地局との間のアクセスリンクに関連付けられたリンク品質のインジケーションをさらに含む、Ｃ７に記載の方法。
［Ｃ９］
前記リレー関連付けプロシージャメッセージは、無線リソース制御（ＲＲＣ）メッセージを備え、前記ＲＲＣメッセージは、ＰｒｏＳｅチャネル上で前記リレー関連付けプロシージャを開始するよう前記第１のＵＥに指示し、前記ＲＲＣメッセージは、固有のリレーＩＤまたは定期報告情報のうちの少なくとも１つを含む、Ｃ１に記載の方法。
［Ｃ１０］
第２のＵＥ−リレー間のリンク品質の定期報告を要求するメッセージを前記基地局から受信することと、第２のＵＥ−リレー間のリンク品質の定期報告を要求する前記基地局からの前記メッセージに基づいて、第２のＵＥ−リレー間のリンク品質の定期報告を要求するメッセージを前記第２のＵＥに送信することと、をさらに備える、Ｃ１に記載の方法。
［Ｃ１１］
第２のＵＥ−リレー間のリンク品質の定期報告を要求する前記第２のＵＥへの前記メッセージに応答して、前記第２のＵＥから第２のＵＥ−リレー間のリンク品質に関する情報を含むメッセージを受信することと、前記第２のＵＥから受信された第２のＵＥ−リレー間のリンク品質に関する情報を含む前記メッセージに基づいて、第２のＵＥ−リレー間のリンク品質に関する情報を含むメッセージを前記基地局に送信することと、をさらに備える、Ｃ１０に記載の方法。
［Ｃ１２］
別のリレー検索メッセージを送信することを含む、リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
をさらに備える、Ｃ１１に記載の方法。
［Ｃ１３］
ＰｒｏＳｅ測定チャネルと同時に基準信号を受信することと、
前記受信された基準信号に基づいてＲＳＲＰまたはＲＳＲＱのうちの少なくとも１つを決定することと、
前記決定されたＲＳＲＰまたはＲＳＲＱのうちの少なくとも１つを含む第２のＵＥ−リレー間のリンク品質に関する情報を含むメッセージを前記基地局に送信することと、
をさらに備える、Ｃ１２に記載の方法。
［Ｃ１４］
前記リレー検索プロシージャを再開始するよう前記第２のＵＥに指示するメッセージを前記第２のＵＥ−リレー間のリンク品質に応答して前記基地局から受信することと、
前記第２のＵＥに、前記リレー検索プロシージャを再開始するようそれに指示するメッセージを送信することと、
をさらに備える、Ｃ１３に記載の方法。
［Ｃ１５］
前記メッセージは、アクセスリンク（Ｕｕ）上で送信される、Ｃ１に記載の方法。
［Ｃ１６］
第２のＵＥ−リレー間のリンク品質の定期報告を要求するメッセージを前記基地局から受信することと、前記ＵＥ−リレー間のリンク品質の測定のためにＰｒｏＳｅチャネルの定期送信を要求するメッセージを前記第２のＵＥに送信することと、をさらに備える、Ｃ１に記載の方法。
［Ｃ１７］
基地局においてワイヤレス通信ネットワークにおけるリレー接続を管理する方法であって、
前記基地局に第１のＵＥからのリレー検索メッセージを通知するメッセージを少なくとも１つのリレーＵＥから受信することと、
リレー関連付けプロシージャを開始するために前記少なくとも１つのリレーＵＥのうちの１つのリレーＵＥを選択することと、
を備える、方法。
［Ｃ１８］
リレー関連付けプロシージャ開始メッセージを前記１つのリレーＵＥに送信することをさらに備え、前記リレー関連付けプロシージャ開始メッセージは、リレー関連付けプロシージャを開始するために前記基地局によって前記１つのリレーＵＥが選択されたことを前記１つのリレーＵＥに通知する、Ｃ１７に記載の方法。
［Ｃ１９］
第２のＵＥ−リレー間のリンク品質の定期報告を要求するメッセージを前記選択されたリレーＵＥに送信することと、
第２のＵＥ−リレー間のリンク品質の前記要求された定期報告を受信することと、
前記第２のＵＥ−リレー間のリンク品質の前記要求された定期報告に基づいて、前記第２のＵＥのためのリレーが別のリレーＵＥに移動されるべきかどうかを決定することと、
をさらに備える、Ｃ１７に記載の方法。
［Ｃ２０］
前記選択は、前記リレーＵＥと前記基地局との間のアクセスリンク品質または前記リレーＵＥと第１のＵＥとの間のダイレクトリンク品質のうちの少なくとも１つに基づく、Ｃ１７に記載の方法。
［Ｃ２１］
第１のＵＥにおいてワイヤレス通信ネットワークにおけるリレーデバイスを通したリレー接続を管理するための装置であって、
メモリと、
前記メモリに結合された少なくとも１つのプロセッサと、
を備え、前記少なくとも１つのプロセッサは、
リレーＵＥに、前記リレーＵＥを通じて前記ワイヤレス通信ネットワークへの接続を確立するよう要求するリレー検索メッセージを第２のＵＥから受信することと、
基地局に、前記第２のＵＥからの前記リレー検索メッセージを前記基地局に通知するメッセージを送信することと、
リレー関連付けプロシージャ開始メッセージを前記基地局から受信することと、前記リレー関連付けプロシージャ開始メッセージは、前記第２のＵＥとリレー関連付けプロシージャを開始するために前記基地局によって前記第１のＵＥが選択されたことを前記第１のＵＥに通知する、
を行うように構成される、装置。
［Ｃ２２］
前記少なくとも１つのプロセッサは、前記第２のＵＥのための前記リレーＵＥとなるよう求める要求を含むリレー関連付けメッセージを前記第２のＵＥに送信するようにさらに構成される、Ｃ２１に記載の装置。
［Ｃ２３］
前記少なくとも１つのプロセッサは、前記第１のＵＥでサポートされるリレー容量または前記第１のＵＥにおけるＵＥリレー能力のうちの少なくとも１つを示すＵＥ能力情報メッセージを前記基地局に送るようにさらに構成され、前記リレー容量は、同時にサポートされることができるいくつかのＵＥのうちの少なくとも１つまたはＭＢＭＳトラフィックリレーをサポートする能力を含む、Ｃ２１に記載の装置。
［Ｃ２４］
前記少なくとも１つのプロセッサは、前記第２のＵＥが前記第１のＵＥを前記リレーデバイスとして選択したことを示す確認応答を前記第２のＵＥから受信するようにさらに構成される、Ｃ２１に記載の装置。
［Ｃ２５］
前記少なくとも１つのプロセッサは、前記第２のＵＥのための前記リレーとなるよう求める、前記第１のＵＥからの前記要求を拒否するメッセージを前記第２のＵＥから受信するようにさらに構成される、Ｃ２１に記載の装置。
［Ｃ２６］
前記第２のＵＥからの前記リレー検索メッセージは、ＰｒｏＳｅダイレクトディスカバリメッセージであり、少なくとも第２のＵＥのＩＤを含み、前記基地局への前記メッセージは、前記第２のＵＥ ＩＤを備える、Ｃ２１に記載の装置。
［Ｃ２７］
前記少なくとも１つのプロセッサは、
ディスカバリメッセージと同時に基準信号を受信することと、
前記受信された基準信号に基づいてＲＳＲＰまたはＲＳＲＱのうちの少なくとも１つを決定することと
を行うようにさらに構成され、前記基地局への前記メッセージは、前記決定されたＲＳＲＰまたはＲＳＲＱのうちの少なくとも１つを備える、Ｃ２１に記載の装置。
［Ｃ２８］
前記基地局への前記メッセージは、前記第１のＵＥと前記基地局との間のアクセスリンクに関連付けられたリンク品質のインジケーションをさらに含む、Ｃ２７に記載の装置。
［Ｃ２９］
前記少なくとも１つのプロセッサは、第２のＵＥ−リレー間のリンク品質の定期報告を要求するメッセージを前記基地局から受信することと、第２のＵＥ−リレー間のリンク品質の定期報告を要求する前記基地局からの前記メッセージに基づいて、第２のＵＥ−リレー間のリンク品質の定期報告を要求するメッセージを前記第２のＵＥに送信することと、を行うようにさらに構成される、Ｃ２１に記載の装置。
［Ｃ３０］
第１のユーザ機器（ＵＥ）においてワイヤレス通信ネットワークにおけるリレーデバイスを通したリレー接続を管理するための装置であって、
メモリと、
前記メモリに結合された少なくとも１つのプロセッサと、
を備え、前記少なくとも１つのプロセッサは、
基地局に第１のＵＥからのリレー検索メッセージを通知するメッセージを少なくとも１つのリレーユーザ機器（ＵＥ）から受信することと、
リレー関連付けプロシージャを開始するために前記少なくとも１つのリレーＵＥのうちの１つのリレーＵＥを選択することと、
を行うように構成される、装置。